(57)【要約】【課題】　第１の部分を第２の部分と相補形状で取り外し可能に結合でき、第１の部分と第２の部分との間の移行領域を確実にシールできる低コストな装置の提供。【解決手段】　弾性的な部材（６）は、第１の部分（５）に設けられた保持リブ（５２）を収容するための通路（６１）、圧接力によって第２の部分（１２）と相補形状で結合可能な、係止部材（６２）、及び、係止部材（６２）の係止後に第３の部分（４）に圧着する、シールリップ（６３）を有している。第１の部分、例えば、カバープレートは、保持リブ（５２）の挿入により弾性的な部材と相補形状で結合され、その後カバープレートは弾性的な部材により第２の部分、例えば、プロフィール部分と相補形状で結合される。シールリップは弾性的な部材にカバープレートの取付け後にプロフィール部分と結合された第３の部分、例えば、分離部材のガラスプレートに圧着するように配置されている。【選択図】　　　図３
2004124702.tif 000002
【特許請求の範囲】
【請求項１】
　第１の部分（５）を第２の部分（１２）と相補形状で、しかし取り外し可能に結合し、かつ第１の部分（５）と、第２の部分（１２）に結合されている第３の部分（４）との間の移行領域をシールする装置において、
　弾性的な部材（６）が設けられており、前記部材は、
　ａ）第１の部分（５）に設けられた保持リブ（５２）を収容するための通路（６１）と、
　ｂ）圧接力によって第２の部分（１２）と相補形状で結合可能な、係止部材（６２）と、
　ｃ）係止部材（６２）の係合後に第３の部分（４）に圧着する、シールリップ（６３）と、
を有することを特徴とする装置。
【請求項２】
　弾性的な部材（６）は、１つの片から形成されており、あるいは
　シールリップ（６３）が弾性的な部材（６）の残りのボディ（６６）と接着剤によって結合され、あるいは溶接されていることを特徴とする請求項１に記載の装置。
【請求項３】
　シールリップ（６３）は、通路（６１）と係止部材（６２）とを備えた、弾性的な部材（６）の残りのボディ（６６）よりも軟弾性的に形成されているので、第１と第２の部分（５、１２）は相互に相補形状で結合された後に安定的に保持されており、かつシールリップ（６３）は第３の部分（４）に圧着することによって変形されていることを特徴とする請求項１または２に記載の装置。
【請求項４】
　シールリップ（６３）および弾性的な部材（６）の残りのボディ（６６）の弾性は、材料の選択によって、あるいは形状付与によって得られることを特徴とする請求項３に記載の装置。
【請求項５】
　シールリップ（６３）は、５０Ｓｈ．Ａよりも少ない硬度、好ましくは約１０Ｓｈ．Ａから３０Ｓｈ．Ａを有し、弾性的な部材（６）の他の構成部分は５０Ｓｈ．Ａよりも大きい硬度、好ましくは約７０Ｓｈ．Ａから９０Ｓｈ．Ａを有していることを特徴とする請求項４に記載の装置。
【請求項６】
　ボディ（６６）および／またはシールリップ（６３）は、軟性ゴム、エラストマー、天然ゴムから形成され、シールリップ（６３）は特に多孔質ゴムから形成されていることを特徴とする請求項５に記載の装置。
【請求項７】
　係止部材（６２）は、弾性的な部材（６）のボディ（６６）内へ押込み可能であることを特徴とする請求項１から６のいずれか１項に記載の装置。
【請求項８】
　弾性的な部材（６）のボディ（６６）は、軸方向に延びる圧縮通路（６４）を有しており、前記圧縮通路は、押圧力が係止部材（６２）に作用するとすぐに、変形されることを特徴とする請求項１から７のいずれか１項に記載の装置。
【請求項９】
　請求項１から８のいずれか１項に記載の結合装置を有するカバー装置において、
　第１の部分（５）はカバープレートであり、第２の部分（１２）は、第１の部分（５）によってカバーすべき、場合によっては２つまたはそれより多い片（１、２）からまとめられたプロフィール部分であり、第３の部分（４）は、第２の部分（１、２）によって少なくとも片側を保持されているプレート、特にガラスプレートであることを特徴とするカバー装置。
【請求項１０】
　その保持リブ（５２）に弾性的な部材（６）が取り付けられている、カバープレート（５）は、第２の結合手段（５１）を有しており、前記結合手段によってカバープレート（５）が片側においてプロフィール部分（１２）と結合可能であることを特徴とする請求項９に記載のカバー装置。
【請求項１１】
　ガラスプレート（４）と結合されたプロフィール部分（１２）は、片側または両側にそれぞれ２つの、好ましくはその上端縁と下端縁に配置された保持部材（１５、１６）を有しており、第２の結合手段（５１）および弾性的な部材（６）に設けられている係止部材（６２）が前記保持部材と相補形状で結合可能であることを特徴とする請求項１０に記載のカバー装置。
【請求項１２】
　プレート（４）、特にガラスプレートを保持するために用いられるプロフィール部分（１２）を有し、前記プロフィール部分は請求項９から１１のいずれか１項に記載のカバー装置によって、カバー装置のカバープレートとプレート（４）の間の移行領域が密に覆われるように、カバーされている、分離部材、特にスライドドア。
【発明の詳細な説明】
【技術分野】
【０００１】
　本発明は、特許請求項１、９ないし１２に記載の結合装置、この結合装置を備えたカバー装置および分離部材、特にスライドドアに関する。
【０００２】
　本発明は、特にカバー装置に関するものであって、そのカバー装置を用いてガラスプレートを保持するために用いられる、場合によっては目障りとなる取付け装置をカバーしようとしている。
【背景技術】
【０００３】
　ガラスプレートを保持する装置は、たとえば特許文献１または特許文献２から知られている。これらの装置は、ボルトによって互いに対して摺動可能な２つの部材を備えたクリップ装置を有しており、それら部材の間にガラスプレートが摩擦結合によって保持される。
【０００４】
　図１は、走行装置９とガイドピン９０によって上方と下方のレール７、７０に沿って案内されるスライドドアを示している。スライドドアは、プレート４、特にガラスプレートを形状結合で保持するために用いられる装置を有している。
【０００５】
　図２に側断面図で示す、この装置は、ガラスプレート４の開口部４１に挿通可能な少なくとも１つの支持部材３を有しており、その支持部材によって、ガラスプレート４の互いに逆の側に配置されている、第１のプロフィール片１と第２のプロフィール片２が互いに結合可能である。支持部材３は、第１のプロフィール片１内に設けられている収容溝１３内に摺動可能に保持されているヘッド部分３１と、開口部４１を通して案内すべき、ねじ孔３３を備えた結合部分３２とを有しており、そのねじ孔は第２のプロフィール部材２の結合に用いられる取付けボルト３５を収容するために設けられている。ねじ孔３３の内部には、さらにねじピン３４が配置されており、そのねじピンによって支持部材３が収容溝１３の内部に固定可能である。
【０００６】
　従ってガラスプレート４は、第１のプロフィール片１内へ挿入された支持部材３に懸下して、所望の位置へ摺動させることができる。支持部材３の固定後に、第２のプロフィール片２が取り付けられて、螺合され、それによってガラスプレート４が堅固に挟持される。
【０００７】
　互いに結合される２つのプロフィール片１と２は、プロフィール部材１２を形成し、そのプロフィール部材は上端縁と下端縁１８、１９に保持部材１５、１６、カム、ガイドリブまたはウィング片を有しており、それらはカバープレート５を固定するために用いられ、そのカバープレートの下側と上側に、保持部材１５、１６を包囲するために用いられるクリップ形状の結合手段５１が設けられている。プレート４の振動を回避するために、２つのプロフィール部材１、２とガラスプレート４の間には、図２に示すように、好ましくは弾性的なバンド８が設けられており、そのバンドは取付けボルト３５を引き締める際に軽く圧縮される。
【０００８】
　プロフィール部材２内へ、取付けブロック９１が挿入されており、その取付けブロックはボルト９２によって付属の走行部材９と結合されている（図１を参照）。
【０００９】
　図２から明らかなように、カバープレート５を取り付けるためには、カバープレートの側方を上方と下方の保持部材１５、１６を介して押し込むか、あるいは第１の上方または下方の保持部材１５、１６内へ片側を懸下した後に、他方側において第２の下方または上方の保持部材１６ないし１５を介して案内することができるように、屈曲しなければならない。カバープレート５とプロフィール部材１、２の一方との相補形状の結合に用いられる２つの方法は、簡単には実施できない。
【００１０】
　図２からさらに明らかなように、カバープレート５を取り付けた場合に、２つのプロフィール部分１、２の下方の端縁は露出しており、ガラスプレートと、２つのプロフィール部材１、２によって形成される取付け装置との間の移行領域に汚れが発生する可能性があって、その汚れはそれぞれそれなりの手間をもって除去しなければならない。
【００１１】
　煩わしい汚れを防止するために、上述した移行領域内にシール、たとえばシリコンペーストを塗布し、あるいは弾性的なバンド８を、２つのプロフィール部分１、２と部分的にやや重なって、それによってシールを形成するように、形成することが可能である。
　しかし、これらの措置は、付加的な作業とコストの負担と結びついている。さらに、上述した措置を講じた後もカバープレート５とガラスプレート４の間の移行領域はまだ露出している。
【００１２】
【特許文献１】ＷＯ０２／１０５４４Ａ１
【特許文献２】ＥＰ０９４０５４２Ａ２
【発明の開示】
【発明が解決しようとする課題】
【００１３】
　従って本発明の課題は、第１の部分、特にカバープレートを第２の部分、特にプロフィール部分と相補形状で、かつ取り外し可能に結合でき、かつ第１の部分と第２の部分との間の移行領域を確実にシールすることができる、コスト的に好ましく形成することのできる装置を提供することである。さらに、この結合装置を有するカバー装置とカバー装置を有するドア部材が提供される。
【課題を解決するための手段】
【００１４】
　この課題は、請求項１、９ないし１２に記載の特徴を有する、装置と分離部材によって解決される。本発明の好ましい形態は、他の請求項に記載されている。
【００１５】
　本発明に基づく装置は、第１の部分を第２の部分と相補形状で、しかし取り外し可能に結合するため、かつ第１の部分と、第２の部分に結合されている第３の部分との間の移行領域をシールするために用いられる。本発明によれば、弾性的な部材が設けられており、その弾性的な部材は、
　ａ）第１の部分に設けられた保持リブを収容するための通路、
　ｂ）圧接力によって第２の部分と相補形状で結合可能な、係止部材、および
　ｃ）係止部材の係止後に第３の部分に圧着する、シールリップ、
を有している。
【００１６】
　従って第１の部分、たとえばカバープレートは、保持リブの挿入によって弾性的な部材と相補形状で結合され、その後カバープレートは弾性的な部材によって第２の部分、たとえばプロフィール部分と相補形状で結合される。シールリップは弾性的な部材に、カバープレートの取付け後に、プロフィール部分と結合された第３の部分、たとえば分離部材のガラスプレートに圧着するように、配置されている。
【００１７】
　従ってカバープレートをプロフィール部分と結合した後に、カバープレートとガラスプレートとの間の移行領域は、密閉されるので、カバープレートとプロフィール部分は相補形状で、かつカバープレートとガラスプレートは摩擦結合で互いに結合されている。
【００１８】
　従って本発明に基づく装置を使用することによって、他のシール材料、シリコンペーストまたはゴムシールの使用を回避することができる。それによって材料が節約され、作業の手間が減少する。というのは、カバープレートの取付けによってプロフィール部分との結合だけでなく、カバープレートとガラスプレートとの間の移行領域のシールも行われるからである。
【００１９】
　従って本発明に基づくカバーを有する分離部材、たとえばスライドドアは、問題なくきれいにすることができる。さらに、煩わしい移行領域をカバーすることによって、カバー装置を有する分離部材の美的に改良された外観が生じる。
【００２０】
　シールリップは、好ましくは、弾性的な部材の残りのボディよりも軟弾性的に形成されているので、カバープレートとプロフィール部材は安定的であるが、取り外し可能に互いに結合されており、かつシールリップはガラスプレートに圧着することによって変形され、それによってシールリップは面圧接によりガラスプレートに添接する。
【００２１】
　シールリップおよび弾性的な部材の残りのボディの所望の弾性は、弾性的な部材の各部分のための材料を選択することによって、および／またはその形状付与によって得ることができる。
【００２２】
　たとえば、シールリップは５０Ｓｈ．Ａ（ショアＡ）より小さい硬度、好ましくは約１０Ｓｈ．Ａから３０Ｓｈ．Ａを有し、弾性的な部材の他の構成部分は５０Ｓｈ．Ａより大きい硬度、好ましくは約７０Ｓｈ．Ａから９０Ｓｈ．Ａを有している。（ショアＡは、規格ＤＩＮ５３５０５に相当し、軟性ゴム、エラストマーおよび天然ゴム製品において使用される）。
【００２３】
　本発明に基づく弾性的な部材は、好ましくは１つの片から形成される。しかしシールリップを、弾性的な部材の残りのボディと接着剤によって結合し、あるいは溶接することもできる。
【００２４】
　弾性的な部材が１つの片で形成される限りにおいて、たとえば適切な材料特性を有する２つの母材がまとめられて、弾性的な部材の部分領域が所望の材料硬度を有するように、押出し成形される。
【００２５】
　係止部材は、保持部材に適合された形状を有しており、かつ弾性的な部材のボディと共に好ましくは、保持部材上、保持部材の下または保持部材内へ摺動可能であって、次に保持部材に相補形状で添接しながら再び弛緩するように、圧縮可能である。
【００２６】
　好ましい形態においては、弾性的な部材のボディは、軸方向に延びる圧縮通路を有しており、その圧縮通路は、圧接力が係止部材に作用するとすぐに、変形される。
【００２７】
　カバー装置は、保持リブを有するカバープレートからなり、その保持リブ上に弾性的な部材が取り付けられる。カバープレートは、好ましくは第２の結合手段を有しており、その結合手段によってカバープレートは片側においてプロフィール部分と結合可能である。たとえば、カバープレートは第２の結合手段によって、プロフィール部分の上端縁に設けられている、上方の保持部材に懸下され、その後係止部材は、プロフィール部分の下端縁に設けられている下方の保持部材の下を通るように押圧される。
【００２８】
　たとえば、係止部材を、プロフィール部分の下端縁に設けられている下方の保持部材の下を通るように案内することができ、その後カバープレートが持ち上げられて、弾性的な部材が圧縮されるので、第２の結合手段を上方の保持部材の上へ案内して、そこに懸下することができる。
【００２９】
　従ってガラスプレートと結合されたプロフィール部分は、好ましくは片側または両側にそれぞれ２つの、好ましくは上端縁と下端縁に配置された保持部材を有しており、第２の結合手段と弾性的な部材に設けられた係止部材がそれら保持部材と相補形状で結合可能である。
【００３０】
　従ってガラスプレートを有する分離部材、たとえばスライドドア（図１と２を参照）に、本発明に基づくカバー装置を有するわずかなハンドグリップを設けることができ、その後はカバー装置のカバープレートとガラスプレートの間の移行領域も密閉されている。
【発明を実施するための最良の形態】
【００３１】
　以下、図面を用いて本発明を詳細に説明する。
【００３２】
　図１は、冒頭で説明した、ガラスプレート４を備えたスライドドアを示しており、そのスライドドアは走行装置９とガイドピン９０によって上方と下方のレール７、７０に沿って案内されている。スライドドアは、図２に断面で示す、ガラスプレート４を相補形状で保持するために用いられる装置を有している。
【００３３】
　図２に側断面で示すこの装置は、ガラスプレート４の開口部４１に挿通可能な少なくとも１つの支持部材３を有しており、その支持部材によって、ガラスプレート４の互いに逆の側に配置されている、第１のプロフィール片１と第２のプロフィール片２を互いに結合することができる。互いに結合された２つのプロフィール片１、２は、プロフィール部材１２を形成し、そのプロフィール部材の上方の端縁と下方の端縁１８、１９に、カバープレート５を固定するために用いられる保持部材１５、１６、カムまたはウィング片が設けられている。
【００３４】
　図３は、上方と下方の保持部材１５、１６を有する、図２のプロフィール部材の好ましい形態と、本発明に基づく２つのカバー装置を示しており、それらカバー装置はカバープレート５とそれに取り付けられた弾性的な部材６からなる。カバープレート５は、下側に、弾性的な部材６を保持するために用いられる、軸方向に延びる保持リブ５２を有し、上側にはウィング形状の結合手段５１を有しており、その結合手段は第２の結合部材として、カバープレート５をプロフィール部材１２の上方の保持部材１５に懸下するために用いられる。
【００３５】
　弾性的な部材６は、保持リブ５２を収容するための通路６１と係止部材６２を有しており、その係止部材は保持部材１６を収容するために用いられる凹部６２１と保持部材１６を固定するために用いられる突片６２２とを有している。さらに、弾性的な部材６にはシールリップ６３が設けられており、そのシールリップはカバー装置を取り付けた後に、プロフィール部材１３によって保持されるガラスプレート４に圧着する。
【００３６】
　図３に示すように、カバープレート５は取り付けの際に、たとえばまず上方の保持部材１５に懸下され、その後カバープレート５の、弾性的な部材６を有する下側が下方の保持部材１６に対して、突片６２２が下方の保持部材１６の下を通り、下方の保持部材が凹部６２１内へ滑り移動するまで*、押圧され、それによってプロフィール部材１２とカバー装置との間に相補形状の結合が生じる。
【００３７】
　図３に示すように、シールリップ６３は、カバープレート５の取り付け後にガラスプレート４に圧着するように、弾性的な部材６に配置されている。
【００３８】
　従ってカバープレート５をプロフィール部材１２と結合した後に、カバープレート５とガラスプレート４の間の移行領域は、密閉されるので、カバープレート５とプロフィール部材１２は相補形状で、そしてカバープレート５とガラスプレート４は摩擦結合で互いに結合されている。
【００３９】
　シールリップ６３は、弾性的な部材６の残りのボディ６６よりも、好ましくは軟弾性的に形成されているので、カバープレート５とプロフィール部材１２は安定的であるが、互いに取り外し可能に結合でき、かつシールリップ６３はガラスプレート４に圧着することによって変形され、それによってシールリップ６３は面圧着によりガラスプレート４に添接する。
【００４０】
　シールリップ６３と弾性的な部材６の残りのボディ６６の所望の弾性は、弾性的な部材６の各部分のための材料を選択することにより、かつ／またはその形状付与によって得ることができる。
【００４１】
　たとえば、シールリップ６３は５０Ｓｈ．Ａ（ショアＡ）より少ない硬度、好ましくは約１０Ｓｈ．Ａから３０Ｓｈ．Ａを有しており、弾性的な部材６の他の残り部分６６は５０Ｓｈ．Ａより大きい硬度、好ましくは約７０Ｓｈ．Ａから９０Ｓｈ．Ａを有している。ショアＡは、ＤＩＮ５３５０５に相当し、かつ弾性的な部材６を形成するために使用可能な、軟性ゴム、エラストマーおよび天然ゴム製品に使用される。シールリップ６３のために、たとえば多孔質ゴムも効果的に使用できる。
【００４２】
　しかし、シールリップ６３は、比較的薄くかつ長くすることもできるので、シールリップをガラスプレート４に対して容易に圧着させることができる。
【００４３】
　弾性的な部材６は、好ましくは１つの片から形成される。しかし、シールリップ６３を、弾性的な部材６の残りの部分６６と接着剤によって結合し、あるいは溶接することができる。
【００４４】
　弾性的な部材６が、１つの片で形成されている限りにおいて、適切な材料特性を有する、たとえば２つの母材が一緒にされて、弾性的な部材の部分領域が所望の材料硬度を有するように、押出し成形される。
【００４５】
　図４は、弾性的な部材６を有するカバー装置の好ましい形態を示しており、その弾性的な部材は縦軸方向に延びる圧縮通路６４を有しており、その圧縮通路は、押圧力が係止部材６２に作用するとすぐに変形されるので、カバー装置は問題なく取り付けおよび取り外すことができる。
【００４６】
　カバー装置の下側を引張ることによって、このカバー装置を再びプロフィール部材１２から外すことができる。図５に示すように、取り付けられているカバー装置を上方へ押し上げることもできるので、上方の結合手段５１が上方の保持部材１５から外れ、カバー装置を再び除去することができる。もちろん、同様にして、カバー装置を再び取り付けることもできる。係止部材６２が下方の保持部材１６に懸下されて、その後カバー装置は、カバープレートに設けられている第２の結合手段５１が、プロフィール部材１２に設けられている上方の保持部材１５内へ導入できるまで、上方へ押し上げられる。
【００４７】
　図６は、弾性的な部材６の詳細を示している。シールリップ６３が下方と上方のリップ６３１；６３２からなることが示されており、それらリップはカバー装置の取り付け後に広げられて、ガラスプレート４に対して広く圧着する。
【００４８】
　本発明に基づく結合装置を、好ましい形態で説明し、かつ表示した。しかし、本発明に基づく考え方を用いて、専門家としての他の形態が実現可能である。特に、装置部分の種々の形態と寸法が選択可能であり、かつそれを形成するために種々の形成材料を使用することができる。弾性的な部材６は、さらに、第１と第２の部分の間の相補形状の結合が、付加的な結合部材なしで可能であるように、形成することもできる。
【図面の簡単な説明】
【００４９】
【図１】走行装置９とガイドピン９０によって上方と下方のレール７、７０に沿って案内されるスライドドアを示しており、そのスライドドアにはガラスプレートを保持する装置が設けられている。
【図２】２部材のプロフィール部材１２を有する、図１の装置が側面図で示されており、プロフィール部材にはカバープレート５’が固定されている。
【図３】好ましいように形成された上方と下方の保持部材１５、１６を有する、図２のプロフィール部材１２を示しており、保持部材には、カバープレート５と弾性的な部材６からなる、本発明に基づくカバー装置を固定することができる。
【図４】図３のカバー装置の好ましい形態を示しており、カバー装置の一方は上方でプロフィール部材１２に懸下されており、下方ではプロフィール部材１２に対して押圧される。
【図５】図４のカバー装置を示しており、そのカバー装置の一方は、下方でプロフィール部材１２に懸下されており、少し持ち上げられて、上方でプロフィール部材１２に対して押圧される。
【図６】図４の形態の弾性的な部材６を示している。
【符号の説明】
【００５０】
１…第１のプロフィール片
１１…プロフィール部材１２の上方部分
１２…第１と第２のプロフィール片１、２からなる、プロフィール部材
１３…収容溝
１４…プロフィール部材１２の下方部分
１５…上方の保持部材
１６…下方の保持部材
１８…プロフィール部材１２の上端縁
１９…プロフィール部材１２の下端縁
２…第２のプロフィール片
２２…取付けリブ
３…支持部材
３１…ヘッド部分
３２…結合部分
３３…ねじ孔
３４…ねじピン
３５…取付けボルト
４…ガラスプレート
４１…ガラスプレート４の穴
５…カバープレート
５１…結合手段
５２…保持リブ
６…弾性的な部材
６１…保持リブ５２を収容するための通路
６２…係止部材
６２１…凹部
６２２…突片
６３…シールリップ
６３１…上方リップ
６３２…下方リップ
６４…圧縮通路
６６…ボディ
７…上方のガイドレール
７０…下方のガイドレール
８…弾性的なバンド
９…走行装置
９０…ガイドピン
９１…取付けブロック
９２…結合ボルト
【図１】
2004124702.tif 000003
【図２】
2004124702.tif 000004
【図３】
2004124702.tif 000005
【図４】
2004124702.tif 000006
【図５】
2004124702.tif 000007
【図６】
2004124702.tif 000008